(57)【要約】      （修正有）【課題】ボビンケースオープナーが経常的にボビンケースに衝突するのを防止し、一部の衝撃音を減らすと共に、ボビンケースオープナーの高速動作時に形成される部品の摩損を減らすミシンのボビンケースオープナー装置を提供する。【解決手段】ミシンのボビンケースオープナー装置は、主軸、カム、レバー、ボビンケースオープナーを包含し、カムは主軸に嵌合され、該カムに凹環が環状に設けられ、凹環に偏った軌跡が設けられる。レバーの一端はカムの該凹環に嵌合されて凹環に添って動作し、レバーの別端はネジ孔が設けられる。ボビンケースオープナーの一端にネジ孔が設けられ、ボルトでボビンケースオープナーが該レバーと組み合わされ、並びにレバーが主軸に組み合わされて往復動作し、ボビンケースオープナーを動作タイミング中でただ一回作動する。【選択図】図１
0003171418.tif 000002
【実用新案登録請求の範囲】
【請求項１】
ミシンのボビンケースオープナー装置において、
主軸と、
該主軸に嵌合され、環状に凹環が設けられ、該凹環に偏った軌跡が設けられたカムと、
一端が該カムの該凹環に嵌合されて該凹環に添って動作し、別端にネジ孔が設けられたレバーと、
一端にネジ孔が設けられて、ボルトで該レバーに固定され、並びに該レバーが該主軸に組み合わされての往復動作することで、動作タイミング中に一回だけ動作するボビンケースオープナーと、
を包含したことを特徴とする、ミシンのボビンケースオープナー装置。
【請求項２】
請求項１記載のミシンのボビンケースオープナー装置において、該凹環によりカムに第１リブと第２リブが形成され、該第１リブの一つの端点部分の厚さが他の部分より厚く、該第２リブの該第１リブの該端点部分に対向する端点部分の厚さは他の部分より薄く、該凹環の軌跡が横向きに偏移することを特徴とする、ミシンのボビンケースオープナー装置。
【請求項３】
請求項２記載のミシンのボビンケースオープナー装置において、該カムの第１リブに孔が設けられ、ボルトが該孔に通されることで該カムが該主軸に固定されることを特徴とする、ミシンのボビンケースオープナー装置。
【請求項４】
請求項１記載のミシンのボビンケースオープナー装置において、該レバーの一端に回転リングが嵌合され、該回転リングは中空状とされ、該レバーの一端のリブが該回転リング中に嵌め込まれ、該回転リングは該カムの該凹環中に嵌め込まれ、該回転リングが該凹環の該軌跡に添って動作して該レバーを駆動することを特徴とする、ミシンのボビンケースオープナー装置。
【請求項５】
請求項１記載のミシンのボビンケースオープナー装置において、該レバーの別端にピボット孔が設けられ、該ピボット孔中にピボットピンが通され、該レバーが該ピボットピンの周りを往復動作することを特徴とする、ミシンのボビンケースオープナー装置。
【請求項６】
請求項１記載のミシンのボビンケースオープナー装置において、該レバーの別端に半側片体が形成され、該ボビンケースオープナーの一端が該半側片体の傍らに置かれて第１片体と第２片体により挟持固定され、さらにボルトで該第１片体、該ボビンケースオープナー、該第２片体及び該半側片体が固定されたことを特徴とする、ミシンのボビンケースオープナー装置。
【考案の詳細な説明】
【技術分野】
【０００１】
本考案は一種のミシンのボビンケースオープナー装置に係り、特に、主軸、カム、レバー、ボビンケースオープナーの組合せ設計により、既存のボビンケースオープナーの動力提供方式を改善し、ボビンケースオープナーを動作タイミング中にただ一回作動させ、ミシンのボビンケースオープナー或いは類似の構造に適用されるものに関する。
【背景技術】
【０００２】
周知のボビンケースオープナーの駆動方式は、通常、ボビンケースの伝動軸上に、連接棒と支持軸等の部品を包含する回転機構を設けることで駆動し、糸チャネルを開く目的を達成する。ただし、この回転機構の回転速度はボビンケースの回転速度と等しく、伝動軸の二倍であり、このためボビンケースオープナーの駆動器は二回循環する必要があるが、糸チャネルを開くのにはただ一回の循環が必要であり、もう一回は不必要であるため、部品が容易に損壊し、且つ回転の騒音も比較的大きい。
【考案の概要】
【考案が解決しようとする課題】
【０００３】
このため、本考案者は上述の欠点を鑑み、伝統的なボビンケースオープナーの動力提供方式を改善し、ボビンケースオープナーを動作タイミング中にただ一回作動させるボビンケースオープナー装置を提供し、使用者が簡単に操作、組立られるようにし、使用者に便利性を提供することを目指して研究と設計を重ねてきた。すなわちこれが本考案の創作の動機である。
【０００４】
本考案は、一種のミシンのボビンケースオープナー装置を提供することを主要な目的とし、それは、主軸、カム、レバー、ボビンケースオープナーの組合せ設計を有し、該カムは該主軸に嵌合され、該カムに凹環が環状に設けられ、該凹環に偏った軌跡が設けられ、該レバーの一端は該カムの該凹環に嵌合されて該凹環に添って動作し、該レバーの別端は該ボビンケースオープナーに挟持固定され、該レバーが該主軸に組み合わされて往復動作し、並びに該ボビンケースオープナーが駆動されて動作タイミング中にただ一回動作する作用により、全体の実用性を増したものとする。
【課題を解決するための手段】
【０００５】
本考案のミシンのボビンケースオープナー装置は、主軸、カム、レバー、ボビンケースオープナーの組合せ設計を包含し、該カムは該主軸に嵌合され、該カムに凹環が環状に設けられ、該凹環に偏った軌跡が設けられ、該レバーの一端は該カムの該凹環に嵌合されて該凹環に添って動作し、該レバーの別端はネジ孔が設けられる。該ボビンケースオープナーの一端にネジ孔が設けられ、ボルトで該ボビンケースオープナーが該レバーと組み合わされ、並びに該レバーが主軸に組み合わされて往復動作することで、ボビンケースオープナーを動作タイミング中でただ一回作動させるようにして構成される。
【考案の効果】
【０００６】
これにより、本考案は、既存のボビンケースオープナーの動力提供方式を改善し、ボビンケースオープナーを動作タイミング中でただ一回作動させ、これにより、ボビンケースオープナーが経常的にボビンケースに衝突するのを防止し、一部の衝撃音を減らすと共に、ボビンケースオープナーの高速動作時に形成される部品の摩損を減らす。
【図面の簡単な説明】
【０００７】
【図１】本考案の実施例の立体外観図である。
【図２】本考案の実施例の主要部品の分解図である。
【図３】本考案の実施例の局部断面図である。
【図４】本考案の実施例の側面図である。
【考案を実施するための形態】
【０００８】
本考案の技術内容、構造特徴、達成する目的を詳細に説明するため、以下に実施例を挙げ並びに図面を組み合わせて説明する。
【０００９】
図１から図４を参照されたい。本考案のミシンのボビンケースオープナー装置は、主軸１０、カム２０、レバー３０、ボビンケースオープナー４０の組合せ設計を包含し、該カム２０は該主軸１０に嵌合され、該カム２０に凹環２１が環状に設けられ、該凹環２１に偏った軌跡２１１が設けられる。別に、該レバー３０の一端は該カム２０の該凹環２１に嵌合されて該凹環２１に添って動作し、該レバー３０の別端はネジ孔３４１が設けられる。該ボビンケースオープナー４０の一端にネジ孔４１が設けられ、ボルト５０で該ボビンケースオープナー４０が該レバー３０と組み合わされ、並びに該レバー３０が主軸１０に組み合わされて往復動作する。これにより、既存のボビンケースオープナーの動力提供方式を改善し、ボビンケースオープナー４０を動作タイミング中でただ一回作動させ、これにより、ボビンケースオープナー４０が経常的にボビンケース１に衝突するのを防止し、一部の衝撃音を減らすと共に、ボビンケースオープナー４０の高速動作時に形成される部品の摩損を減らす。
【００１０】
そのうち、該凹環２１により該カム２０に第１リブ２２と第２リブ２３が形成され、且つ該第１リブ２２の一端点部分２２１の厚さは比較的厚く、該第２リブ２３の対向する端点部分２３１の厚さは比較的薄く、これにより、該凹環２１の軌跡２１１は横向きに偏移する。また、該カム２０の該第１リブ２２上にさらに孔２２２が設けられ、ボルト２４が該孔２２２に通されて、該カム２０を該主軸１０に固定する。該レバー３０の一端にさらに、回転リング６０が設けられ、該回転リング６０は中空状とされ、該レバー３０の一端のリブ３１が該回転リング６０中に嵌入する。該回転リング６０は該カム２０の該凹環２１中に嵌め込まれ、これにより回転リング６０が凹環２１の軌跡２１１に添って動作し、並びにレバー３０を駆動し作動させる。さらに、該レバー３０の別端にさらにピボット孔３２が設けられ、該ピボット孔３２中にピボットピン３３が通され、該レバー３０が該ピボットピン３３の周りを往復動作する。該レバー３０の別端にさらに半側片体３４が設けられ、該ボビンケースオープナー４０の一端が該半側片体３４の傍らに置かれ、並びに第１片体３５と第２片体３６により挟持固定され、さらにボルト５０が該第１片体３５、ボビンケースオープナー４０、第２片体３６及び半側片体３４に通されてネジ止めされる。
【００１１】
図１〜図４に示されるように、本考案のミシンのボビンケースオープナー装置は、その最良の実施方式は、ロックミシンへの応用であり、並びに伝統的なボビンケースオープナーの動力提供方式を改良し、ボビンケースオープナー４０の動作タイミング中にただ一回作動させる。これは、伝統的なボビンケースオープナーのように一つの縫い目内に２回の開放の動作を実行し且つそのうち一回の開放の動作は不必要であったものとは異なる。本考案はこれにより、ボビンケースオープナー４０が経常的にボビンケースに衝突するのを防止し、一部の衝撃音を減らし、並びにボビンケースオープナー４０の高速動作時に形成される部品の摩損を減らす。
【００１２】
本考案のミシンのボビンケースオープナー装置は、主軸１０、カム２０、レバー３０、ボビンケースオープナー４０の組合せ設計とされ（図２）、且つ本考案のボビンケースオープナー４０の動力は、主軸１０により提供され、伝統的なボビンケースオープナーの動力がボビンケース１の伝動軸２より提供され（図１）、これにより、両者の間の動力ソースは異なり、主軸１０にカム２０が嵌合され、該カム２０に環状に凹環２１が設けられ、該凹環２１は該カム２０に第１リブ２２と第２リブ２３を形成し、且つ該第１リブ２２の一端点部分２２１の厚さは比較的厚く、第２リブ２３の対向する端点部分２３１の厚さは比較的薄く、これにより、該凹環２１の軌跡２１１が横向きに偏った運行をできるものとされ、且つ該カム２０の第１リブ２２上に孔２２２が設けられて、ボルト２４が該孔２２２を通り、カム２０を主軸１０に固定し、カム２０を、主軸１０の回転に伴い同期して回転させる。該レバー３０の一端にはリブ３１が設けられ、且つ該レバー３０の前端に回転リング６０が設けられ、該回転リング６０は中空状とされ、該リブ３１は該回転リング６０中に嵌め込まれ、別に該回転リング６０はカム２０の凹環２１中に嵌め込まれ、これにより、回転リング６０が凹環２１の横向き偏移軌跡２１１において動作し、並びに同期してレバー３０を駆動し作動させる（図４）。該レバー３０の別端にはピボット孔３２が設けられ、該ピボット孔３２にピボットピン３３が通されて、レバー３０がピボットピン３３の周りを往復揺動し、且つ該レバー３０の別端上部に半側片体３４が形成され、ボビンケースオープナー４０の一端が半側片体３４の傍らに置かれ、半側片体３４内にネジ孔３４１が設けられ、且つボビンケースオープナー４０の対応位置にもネジ孔４１が設けられ、並びに第１片体３５及び第２片体３６でボビンケースオープナー４０が挟持固定され、且つ第１片体３５及び第２片体３６にもネジ孔３５１、３６１が設けられ、さらにボルト５０が、第１片体３５、ボビンケースオープナー４０、第２片体３６及び半側片体３４のネジ孔３５１、４１、３６１、３４１に通されて、ボビンケースオープナー４０がしっかりとレバー３０上端に固定され（図３、図４）、これにより、主軸１０が回転する時に、同期してカム２０を駆動し回転させ、カム２０の凹環２１内の回転リング６０が凹環２１の横向き偏移軌跡２１１中を移動し、並びに同期してレバー３０を駆動し、ピボットピン３３の周りを往復揺動し、レバー３０の上端にネジ止めされたボビンケースオープナー４０を主軸１０の動作タイミング内に、一回だけ動作させて、ボビンケースオープナー４０を開放させ、糸に糸チャネルを提供する。
【００１３】
総合すると、本考案のミシンのボビンケースオープナー装置は、ボビンケースオープナーが動作タイミング中にただ一回動作する効果を達成し、全体構造の配置は簡単に組合せられ、十分な機能の改善がなされ、且つその手段運用もまた新規であり、実用新案登録の要件に符合する。
【符号の説明】
【００１４】
１  ボビンケース                          ２  伝動軸
１０  主軸                                ２０  カム
２１  凹環                                ２１１  軌跡
２２  第１リブ                            ２２１  端点部分
２２２  孔                                ２３  第２リブ
２３１  対向する端点部分                  ２４  ボルト
３０  レバー                              ３１  リブ
３２  ピボット孔                          ３３  ピボットピン
３４  半側片体                            ３４１  ネジ孔
３５  第１片体                            ３５１  ネジ孔
３６  第２片体                            ３６１  ネジ孔
４０  ボビンケースオープナー              ４１  ネジ孔
５０  ボルト                              ６０  回転リング
【図１】
0003171418.tif 000003
【図２】
0003171418.tif 000004
【図３】
0003171418.tif 000005
【図４】
0003171418.tif 000006